(57)【要約】【課題】簡易なシステム構成により、所望の時間に所望の音声を配信できる音声配信装置、音声配信システムを提供する【解決手段】音声配信システムは、音声配信装置２に、Ｄ／Ａコンバータを備えたスピーカシステムが複数バス接続されている。音声配信装置２は、コンピュータ処理が可能な音声ファイルをスピーカシステムにて再生可能な音声信号に変換して送信する音声再生処理部２５と、音声信号の経路制御を行なうルーティング処理部２３と、音声信号の送信時間を管理するスケジュール処理部２４とを備え、記憶部２８には音声ファイル群２８２及びスケジュールファイル群２８１を記録する。スケジュール処理部２４はスケジュールファイル群２８１を読み込み、各スケジュールファイルに基づき、音声再生処理部２５における音声ファイルの変換、送信、ルーティング処理部２３における経路制御を行なわせる。【選択図】図２
2006333051.tif 000002
【特許請求の範囲】
【請求項１】
ネットワーク上に設けられたスピーカシステムに対し該スピーカシステムにて再生可能な音声信号をタイムスケジュールに基づいて送信する音声配信装置において、
コンピュータ処理が可能な音声ファイル及び前記タイムスケジュールが記録されたスケジュールファイルが記録された記憶手段と、
前記音声ファイルを前記音声信号に変換して送信する音声再生処理手段と、
前記スケジュールファイルに基づいて前記音声信号の送信時間を管理するスケジュール処理手段と、
前記音声再生処理手段及び前記スケジュール処理手段における信号処理を制御する制御手段とを備えたことを特徴とする音声配信装置。
【請求項２】
前記スケジュールファイルは送信先である前記スピーカシステムのネットワーク上での位置を一意に特定するアドレス情報を有し、
該アドレス情報に基づいて前記音声信号の送信の経路制御を行なうルーティング処理手段を備え、
前記音声再生処理手段は前記音声信号をパケット送信することを特徴とする請求項１に記載の音声配信装置。
【請求項３】
請求項１又は２に記載の音声配信装置とスピーカシステムとを備え、
該スピーカシステムは、
前記音声配信装置から前記音声信号を受信し該音声信号をＤ／Ａ変換するレシーバと
該変換した前記音声信号をもとに空間に音場音圧を発生させるスピーカとを備えたことを特徴とする音声配信システム。
【請求項４】
前記スピーカシステムは複数設けられ、それぞれの前記スピーカシステム及び前記音声配信装置はバス接続されたことを特徴とする請求項３に記載の音声配信システム。
【請求項５】
前記スピーカは超音波スピーカを備えた
ことを特徴とする請求項３又は４に記載の音声配信システム。
【請求項６】
コンピュータを請求項１又は２の音声配信装置として機能させることを特徴とするプログラム。 
【発明の詳細な説明】
【技術分野】
【０００１】
本発明は、音声の配信及び出力の技術に関する。
【背景技術】
【０００２】
従来、音声を含む情報をネットワークを介して複数の端末等に配信するためのシステムとしては、サーバ側のコンピュータが送信のタイムテーブルを備え、このタイムテーブルに基づいてサーバが音声も含むデータファイルをクライアントコンピュータに送信する技術が知られている（たとえば、特許文献１参照）。
【特許文献１】特開２００４−２６５０８３号公報
【発明の開示】
【発明が解決しようとする課題】
【０００３】
しかし、上記特許文献１に記載された技術によっては、音声の配信を受けるクライアント側にはクライアントの数だけコンピュータ端末が必要になり、配信を受ける側においてシステム構築のコストが大きくなるという問題がある。
【０００４】
一方、受信側の端末がコンピュータ端末を有しないスピーカシステムにて形成し、この巣スピーカシステムで音声出力が可能な音声信号を送信することも考えられるが、送信側で音声信号を送信するためには、配信用の音源としてのＣＤ、ＭＤ、ＤＡＴ等のプレーヤが必要となって送信側のシステムが膨大になり、送信者がこのＣＤ、ＭＤ等を音声を送信したい時間に手動で操作して音声信号を出力させねばならず、作業が煩雑になるという問題がある。
【０００５】
そこで、この発明は、上記の点に鑑みてなされたものであり、配信側、及び受信側ともに簡易なシステム構成により、所望の時間に所望の音声を配信できる音声配信装置、音声配信システム、及びプログラムを提供することを課題としている。
【課題を解決するための手段】
【０００６】
かかる課題を解決するために、請求項１に記載の発明は、ネットワーク上に設けられたスピーカシステムに対し該スピーカシステムにて再生可能な音声信号をタイムスケジュールに基づいて送信する音声配信装置において、コンピュータ処理が可能な音声ファイル及び前記タイムスケジュールが記録されたスケジュールファイルが記録された記憶手段と、前記音声ファイルを前記音声信号に変換して送信する音声再生処理手段と、前記スケジュールファイルに基づいて前記音声信号の送信時間を管理するスケジュール処理手段と、前記音声再生処理手段及び前記スケジュール処理手段における信号処理を制御する制御手段とを備えたことを特徴とする。
【０００７】
請求項２に記載の発明は、前記スケジュールファイルは送信先である前記スピーカシステムのネットワーク上での位置を一意に特定するアドレス情報を有し、該アドレス情報に基づいて前記音声信号の送信の経路制御を行なうルーティング処理手段を備え、前記音声再生処理手段は前記音声信号をパケット送信することを特徴とする。
【０００８】
請求項３に記載の発明は、音声配信システムであって、請求項１又は２に記載の音声配信装置とスピーカシステムとを備え、該スピーカシステムは、前記音声配信装置から前記音声信号を受信し該音声信号をＤ／Ａ変換するレシーバと該変換した前記音声信号をもとに空間に音場音圧を発生させるスピーカとを備えたことを特徴とする。
【０００９】
請求項４に記載の発明は、請求項３に記載の構成に加え、前記スピーカシステムは複数設けられ、それぞれの前記スピーカシステム及び前記音声配信装置はバス接続されたことを特徴とする。
【００１０】
請求項５に記載の発明は、請求項３又は４に記載の構成に加え、前記スピーカは超音波スピーカを備えたことを特徴とする。
【００１１】
請求項６に記載の発明は、プログラムであって、コンピュータを請求項１又は２の音声配信装置として機能させることを特徴とする。
【発明の効果】
【００１２】
請求項１に記載の発明によれば、音声配信装置はタイムスケジュールに基づいて音声信号を自動的に送信することができるので、予め定めたタイムスケジュールに従ってスピーカシステムに音声信号を送信して音声を出力させることができる。また、音声配信装置はスピーカシステムで再生可能な音声信号を送信するので、受信側はＤ／Ａコンバータ等を備えていれば音声の再生が可能であって、受信側にファイルデータを音声信号に変換するためのコンピュータ端末を個々に設ける必要がなく、音声配信システムを簡素な機材で構築できてシステムの簡素化を図ることができる。
【００１３】
請求項２に記載の発明によれば、ルーティング処理手段が音声信号の経路制御を行い、音声再生処理手段が音声信号をパケット送信することにより、音声信号は指定された経路に従ってバケットの形状で送信される。従って、音声配信装置とスピーカシステムとを接続する回線が専用線でなくても音声信号を送信できる。
【００１４】
請求項３に記載の発明によれば、音声配信システムは、請求項１又は２に記載の音声配信装置と、音声信号をＤ／Ａ変換するレシーバを備えたスピーカシステムとを備えていることにより、音声配信装置が出力したディジタルの音声信号をアナログに変換することができ、スピーカがアナログ信号によってのみ音声出力が可能な場合でも、タイムスケジュールに基づいて空間に音場音圧を発生させ音声を出力させることができる。
【００１５】
請求項４に記載の発明によれば、複数設けられたスピーカシステムが音声配信装置とバス接続されているので、一つの音声配信装置により複数のスピーカシステムの音声出力を制御できる。そして、音声配信装置は音声信号をパケット送信するので、複数のスピーカシステムに別個の音声信号を送付して、各スピーカシステムから別個の音声を同時に出力させることが可能になる。
【００１６】
請求項５に記載の発明によれば、スピーカシステムは超音波スピーカを備えているので、スピーカからは、超音波を音声信号で振幅変調した音場音圧を出力できる。従って、超音波の進行方向に居る人間の鼓膜に超音波の差音としての音声信号を聴取させられるので、超音波同様に指向性の高い音声を出力できる。
【００１７】
請求項６に記載の発明によれば、本発明をプログラム化し、ダウンサイジング化を図るとともに、多様なコンピュータハードウェア上で本発明を実現させることができる。
【発明を実施するための最良の形態】
【００１８】
以下、この発明の実施の形態について図面を参照して説明する。
【００１９】
図１は、この実施の形態の音声配信システムの全体構成を示す図である。同図に示す通り、音声配信システム１は、音声配信装置２と、ディジタルの音声信号をネットワーク送信するネットワークコントローラ３と、Ｎ個（Ｎ≧１、この実施の形態ではＮ＝８）スピーカシステム４１〜４８とを備えている。スピーカシステム４１〜４８は、レシーバ５１〜５８と、アンプ６１〜６８と、スピーカ７１〜７８とを備えている。音声配信装置２とネットワークコントローラ３とはＬＡＮケーブル８及びＬＡＮケーブル９により、また、ネットワークコントローラ３とスピーカシステム４１〜４８とはＬＡＮケーブル１０により、それぞれバス接続されている。
【００２０】
各スピーカシステム４１〜４８（実際にはレシーバ５１〜５８）のそれぞれには、ネットワーク上の位置を一意に特定するアドレス（ＭＡＣアドレス）が付されている。
【００２１】
なお、スピーカシステム４１〜４８、レシーバ５１〜５８、アンプ６１〜６８、スピーカ７１〜７８は同じ構成を持つので、以下、区別する必要がある場合を除き、スピーカシステム４、レシーバ５、アンプ６、スピーカ７と記載する。
【００２２】
スピーカシステム４において、レシーバ５は、Ｄ／Ａコンバータを備えた受信装置であり、ディジタルの音声信号をＤ／Ａ変換してアナログの音声信号を出力する。アンプ６はアナログ音声信号の増幅器である。スピーカ７は超音波スピーカであって、超音波を音声信号の周波数で振幅変調して出力する。
【００２３】
図２に、この実施の形態の音声配信装置２の機能ブロック図を示す。音声配信装置２はサーバ機能を有するコンピュータであり、制御部２１と、この制御部２１によって制御されるＵＩ（Ｕｓｅｒ  Ｉｎｔｅｒｆａｃｅ）処理部２２、ルーティング処理部２３、スケジュール管理部２４、音声再生処理部２５、制御信号用ドライバ２６ａ、制御信号用インターフェース部２６ｂ、音声用ドライバ２７ａ、音声用インターフェース部２７ｂ、制御部２１と交信する記憶部２８とを備えている。
【００２４】
制御部２１はＣＰＵ（中央演算装置）を備え、記憶部２８に記録されたＯＳ（Ｏｐｅｒａｔｉｏｎ  Ｓｙｓｔｅｍ）プログラムや各種アプリケーションプログラム等を演算処理し、処理の結果に基づいて音声配信処理全体を制御する。なお、この実施の形態においては、ＵＩ処理部２２、ルーティング処理部２３、スケジュール処理部２４、音声再生処理部２５の機能及び制御は、記憶部２８に記録されたアプリケーションプログラムである音声配信プログラム（後述）を制御部２１のＣＰＵで演算処理して実現される。
【００２５】
ＵＩ処理部２２は、マウス、キーボード等の操作手段からの入力や、ディスプレイへの画像出力を処理する。
【００２６】
ルーティング処理部２３は、パケットの経路制御及び音声信号送信のタイミング制御を行なう。具体的には、スケジュールファイル（後述）に記録されたアドレス情報（後述）をＭＡＣアドレスに変換し、変換されたＭＡＣアドレスが付されたスピーカシステム４との間で、パケット送信に必要な制御信号を交信する。
【００２７】
スケジュール処理部２４は、音声配信装置２の配信処理に必要な時間管理を行なう。具体的には、現在時刻情報を取得するとともに、スケジュールファイル（後述）に記録されたタイムスケジュール（コマンドの実行時刻）を読み込み、このタイムスケジュールに基づいてルーティング処理部２３や音声再生処理部２５にファイルや音声信号の処理の開始を指示する。現在時刻情報の取得は、音声処理装置２に設けられた時計（図示せず）の監視により行なう。
【００２８】
音声再生処理部２５は、コンピュータ処理が可能な音声ファイルの音声信号への変換、変換された音声信号の一時的な保管、音声信号のネットワーク上への出力を行なう。具体的には、コンピュータが読み込み可能な音声ファイルを、音声信号（通常のディジタルスピーカに入力すれば音声出力できる、ディジタルの音声信号）に変換する。
【００２９】
音声再生処理部２５は、記憶部２８のキャッシュメモリ等に音声信号の一時的保管領域であるトラックを複数形成し、各トラックに、音声ファイルを変換した音声信号を記録して管理する。トラックの数は、スピーカシステム４において同時に出力できる別個の音声の数に該当する。この実施の形態においては、音声再生処理部２５はトラック１〜トラック８の合計８トラックを形成し、スピーカシステム４１〜４８のそれぞれに異なる音声を同時に出力させることができる。
【００３０】
制御信号用ドライバ２６ａ、音声用ドライバ２７ａは、ともにデバイスドライバであり、制御信号用インターフェース部２６ｂ、音声用インターフェース部２７ｂを音声配信装置２上で機能させるための処理を行う。図示の通り、制御信号用ドライバ２６ａはルーティング処理部２３と、音声用ドライバ２７ａは音声再生処理部２５と、それぞれ交信する。
【００３１】
制御信号用インターフェース部２６ｂはＵＴＰケーブルポートであり、１０ＢＡＳＥ−Ｔ、１００ＢＡＳＥ−ＴＸケーブル等のＬＡＮケーブル８が接続される。音声用インターフェース部２７ｂは光ケーブルポートであり、光ケーブルとしてのＬＡＮケーブル９が接続される。制御信号用インターフェース部２６ｂを音声用インターフェース部２７ｂと別個に設けることにより、制御信号を音声信号とは別個の伝送路を用いて確実に交信でき、音声用インターフェース部２７ｂを光ケーブルポートとすることにより、データ量の多い音声信号を遅延なく送信できる。
【００３２】
記憶部２８は、制御部２１が各種処理を実行するときに使用するプログラムやデータが予め格納されたＲＯＭ、これらプログラムやデータ等を一時的に記憶するＲＡＭ、各種ファイルデータ等を記憶するハードディスク等から構成されている。ＲＯＭには、ＯＳプログラムの他、ＵＩ処理部２２、ルーティング処理部２３、スケジュール処理部２４、音声再生処理部２５の機能及び制御を実現する音声配信プログラム２８３が記録され、ハードディスクにはスケジュールファイル群２８１、音声ファイル群２８２や、アドレス情報とスピーカシステム４のＭＡＣアドレスとを対応付けるテーブル（図示せず）等が記録されている。
【００３３】
音声ファイル群２８２は、コンピュータ処理により音声信号に変換可能な複数の音声ファイルの集合体であり、音声再生処理部２５にて処理される。この実施の形態においては、音声ファイル群２８２はそれぞれＷＡＶＥファイルにて形成されている。
【００３４】
スケジュールファイル群２８１は、ルーティング処理部２３や音声再生処理部２５において、処理を行なう時間を制御するための情報が記録されたファイルの集合体である。
【００３５】
図３（Ａ）に、スケジュールファイル群２８１の模式図を示す。同図に示す通り、スケジュールファイル群２８１はテキストファイルとして定義され、スケジュールファイル２８１Ａ、２８１Ｂ、２８１Ｃ・・・は行ごとに１コマンドを形成する。各スケジュールファイル２８１Ａ、２８１Ｂ、２８１Ｃ・・・は、カンマで区切られたエリアごとに、タイムスケジュールをＨＨ（時）、ＭＭ（分）、ＳＳ（秒）形式で記録した第１フィールド２８１ａ、コマンドの具体的内容を示すコマンド名（音声ファイルを各トラックに格納し音声信号に変換する変換処理を示すコマンド名“Ａｕｄｉｏ”、又は、音声信号をスピーカシステム４１〜４８のいずれかに送信する送信処理を示すコマンド名“Ｒｏｕｔｅ”）を示す第２フィールド２８１ｂ、音声信号の送信先、送信元等の情報を記録する第３フィールド２８１ｃ、第４フィールド２８１ｄを有する。
【００３６】
第３フィールド２８１ｃ、第４フィールド２８１ｄに記録される情報は、第２フィールド２８１ｂのコマンド名が“Ａｕｄｉｏ”か“Ｒｏｕｔｅ”かによって内容が異なる。具体的には、第２フィールド２８１ｂのコマンド名が“Ａｕｄｉｏ”のスケジュールファイル（たとえば図３（Ａ）のスケジュールファイル２８１Ａ、２８１Ｂ）は、第３フィールド２８１ｃに音声信号を記録するトラック番号、第４フィールド２８１ｄに音声信号に変換する音声ファイル名が記録される。一方、第２フィールド２８１ｂのコマンド名が“Ｒｏｕｔｅ”のスケジュールファイル（たとえば図３（Ａ）のスケジュールファイル２８１Ｃ）は、第３フィールド２８１ｃに、音声信号の送信先であるスピーカシステム４のアドレス情報としての、各スピーカシステム４１〜４８のＭＡＣアドレスに対応する通し番号１〜８が記録され、第４フィールド２８１ｄに、送信する音声信号が格納されたトラックの番号として、トラック１〜８に対応する通し番号１〜８が記録される。すなわち、例えば“１２：３０：００，Ａｕｄｉｏ，１，Ｔｅｓｔ”というスケジュールファイルは「１２時３０分００秒に、トラック１に、ｔｅｓｔ．ｗａｖファイルを変換した音声信号を保存する」ことを示し、“１２：４０：００，Ｒｏｕｔｅ，３，１”というスケジュールファイルは「１２時４０分００秒に、スピーカシステム４３に対し、トラック１に保存された音声信号を送信する」ことを示す。
【００３７】
図４は、音声配信装置２のディスプレイに表示される画面イメージ図である。画面２２１はＵＩ処理部２２（図２）によって表示され、図４に示す通り、トラック１〜トラック８ごとに、送信時間、送信される音声信号（変換前の音声ファイルの名前）が表示されたスケジュール表示部２２１ａ、トラックとスピーカシステム４との対応関係を表示した対応表示部２２１ｂ、再生ボタン２２１ｃ、停止ボタン２２１ｄを備えている。
【００３８】
次に、この実施の形態の作用について説明する。
【００３９】
図３（Ｂ）は、この実施の形態における音声配信システム１の音声配信の制御の概要を示す図である。同図において、制御手順は左側から右側に向けて進行する。具体的には、音声配信装置２の音声再生処理部２５（図２）は、スケジュールファイル群２８１に基づいてトラック１〜トラック８にＷａｖｅファイルを変換した音声信号を保管し、ルーティング処理部２３（図２）は、スケジュールファイル群２８１に基づいて各トラックに保管された音声信号を指定されたスピーカシステム４に送信する。
【００４０】
音声配信システム１における音声配信の手順を以下詳細に説明する。
【００４１】
利用者が、画面２２１の再生ボタン２２１ｃをクリックすると、音声配信装置２のスケジュール処理部２４は、記憶部２８からスケジュールファイル群２８１を読み込む。画面２２１のスケジュール表示部２２１ａには読み込まれたスケジュールファイル群２８１に基づいて、各トラックに記録される音声信号（変換前のファイル名）が記録される。スケジュール処理部２４は時計（図示せず）から現在時刻情報を取得し、各スケジュールファイル２８１Ａ、２８１Ｂ、２８１Ｃ・・・の第１フィールド２８１ａに記録されたタイムスケジュールが現在時刻と一致すると、第２フィールド２８１ｂ乃至第４フィールド２８１ｄの記録に基づいて各スケジュールファイル２８１Ａ、２８１Ｂ、２８１Ｃ・・・のコマンドを実行する。
【００４２】
第２フィールド２８１ｂが“Ａｕｄｉｏ”であるスケジュールファイルを処理する場合、スケジュール処理部２４は、第１フィールド２８１ａに記録されたタイムスケジュールにおいて、音声再生処理部２５にファイルの処理を指示する。音声再生処理部２５は、指示に基づき、第４フィールド２８１ｄの記録に該当するファイルを音声ファイル群２８２中から読み込み、読み込んだ音声ファイルをディジタルの音声信号に変換し、変換した音声信号を第３フィールド２８１ｃに記録されたトラックに記録する。
【００４３】
第２フィールド２８１ｂが“Ｒｏｕｔｅ”であるスケジュールファイルを処理する場合、スケジュール処理部２４は、第１フィールド２８１ａに記録されたタイムスケジュールにおいて、ルーティング処理部２３及び音声再生処理部２５に音声信号の送信処理を指示する。ルーティング処理部２３は、指示に基づき、ネットワークコントローラ３を介し、第３フィールド２８１ｃに記録されたアドレス情報に該当するスピーカシステム４との間で制御信号を交信する。音声再生処理部２５は、指示に基づき、第４フィールド２８１ｄに記録されたトラックの音声信号をパケット化して送信する。ルーティング処理部２３が経路制御を行い、音声再生処理部２５が音声信号をパケット送信することにより、音声信号は、ネットワークコントローラ３を介し、指定された経路に従い、パケットの形状で第３フィールド２８１ｃに記録されたアドレス情報に該当するスピーカシステム４に送信される。
【００４４】
複数あるスピーカシステム４１〜４８は、いずれもＬＡＮケーブル８、９、１０により音声配信装置２とバス接続されているので、全スピーカシステム４１〜４８の音声出力を一つの音声配信装置２によって制御できる。そして、音声配信装置２は音声信号をパケット送信するので、スピーカシステム４１〜４８のそれぞれに別個の音声信号を送付して、各スピーカシステム４１〜４８から別個の音声を同時に出力させることが可能になる。
【００４５】
スピーカシステム４は、レシーバ５において受信した音声信号をアナログの音声信号に変換し、変換した信号をアンプ６において増幅し、スピーカ７からは、超音波を受信した音声信号で振幅変調した、超音波同様に指向性の高い音場音圧が出力され、超音波の発生方向に居る人間の鼓膜には、超音波の差音としての音声が聴取される。
【００４６】
以上の音声配信の手順は、画面２２１の停止ボタン２２１ｄがクリックされ、音声配信が停止されるまで継続する。
【００４７】
以上、この実施の形態の音声配信システム１においては、音声配信装置２が、スケジュールファイル群２８１の定めるタイムスケジュールに基づいて、スピーカシステム４に音声信号を自動的に送信してスピーカ７から音声を出力させることができる。また、音声配信装置２が送信するのはＤ／Ａコンバータ等を備えたスピーカシステム４で再生可能な音声信号であり、ファイルデータを音声信号に変換するためのコンピュータ端末を受信側のスピーカシステム４に設ける必要がないので、音声配信システム１を簡素な機材で構築できる。
【００４８】
なお、上記実施の形態においては、ＵＩ処理部２２、ルーティング処理部２３、スケジュール処理部２４、音声再生処理部２５の機能は、アプリケーションプログラムである音声配信プログラム２８３に基づいて実現したが、ハードウェアロジック等によって実現することも可能である。
【００４９】
上記実施の形態においては、音声制御装置２のルーティング処理部２３はスピーカシステム４のＭＡＣアドレスによって経路制御を行なったが、スピーカシステム４にＩＰアドレスを割り付けて、ルーティング処理部２３がＩＰアドレスによって経路制御を行なう構成とし、複数のブロードキャストドメインに跨った音声配信システム１においても配信を行えるようにすることもできる。
【００５０】
上記実施の形態においては、音声配信装置２から出力する信号を、信号の種類により、ＬＡＮケーブル８、９に分けて送信したが、１本のＬＡＮケーブルにより全ての信号を送信する形態とし、ハードウェア構成の簡素化を図ってもよい。
【００５１】
上記実施の形態においては、スピーカシステム４のスピーカ７は超音波スピーカとしたが、動電型、圧電型等、超音波スピーカ以外のスピーカを用いてもよい。
【００５２】
上記実施の形態は例示であり、本発明が上記実施の形態に限定されることを意味するものではないことは、いうまでもない。
【産業上の利用可能性】
【００５３】
上記の音声配信システム１は、音声配信装置２にバス接続された複数のスピーカシステム４に、同時に異なる音声を出力させることができる。特に、スピーカシステム４のスピーカ７が、指向性の高い超音波スピーカであり、スピーカのほぼ正面に居る人間のみに音声を聴取させることができるので、例えば、店内放送や商店街の街頭放送に利用し、売り場ごと、区域ごとに異なるＢＧＭや宣伝放送を出力させることが出来る。また、駅、空港、官公庁庁舎、公園、病院等の公共施設及び準公共施設、さらに、テーマパーク等において、フロアや区画ごとに異なる案内放送や演出音を出力させるためにも利用できる。また、停電時や建物火災時における音による非常案内放送、非常誘導放送などにも利用できる。
【図面の簡単な説明】
【００５４】
【図１】この実施の形態の音声配信システムの全体構成を示す図である。
【図２】この実施の形態の音声配信装置の機能ブロック図である。
【図３】（Ａ）スケジュールファイル群の模式図、及び、（Ｂ）音声配信システムの配信の制御の概要を示す図である。
【図４】音声配信装置のディスプレイに表示される画面イメージ図である。
【符号の説明】
【００５５】
１・・・音声配信システム
２・・・音声配信装置
４、４１〜４８・・・スピーカシステム
５、５１〜５８・・・レシーバ
７、７１〜７８・・・スピーカ
２１・・・制御部
２３・・・ルーティング処理部
２４・・・スケジュール管理部
２５・・・音声再生処理部
２８・・・記憶部
２８１・・・スケジュールファイル群
２８１Ａ、２８１Ｂ、２８１Ｃ・・・スケジュールファイル
２８２・・・音声ファイル群
２８３・・・音声配信プログラム
【図１】
2006333051.tif 000003
【図２】
2006333051.tif 000004
【図３】
2006333051.tif 000005
【図４】
2006333051.tif 000006